(57)【要約】【課題】従来のロータリスイッチでは、操作時にクリック感を与えるために、接点の切換えを行う接触片とは別にクリック感を発生させる部品を付設する必要があった。そこで、操作時に明確なクリック感を発生させるとともに、部品点数が少なく組立が容易なロータリスイッチを提供することを目的とする。【解決手段】ハウジング内に設けられるロータと、ロータと共に回転可能な可動接片と、可動接片に対応した固定接片を配設したベースとを備えたロータリスイッチにおいて、可動接片に凸部を形成し、この凸部がハウジング内面に設けた凹凸面に弾接することによってクリック感を発生させる構成とする。【選択図】図１
2010067421.tif 000002
【特許請求の範囲】
【請求項１】
ハウジング内に設けられるロータと、該ロータと共に回転可能な可動接片と、該可動接片に対応した固定接片を配設したベースとを備えたロータリスイッチにおいて、前記可動接片に凸部を形成し、該凸部が前記ハウジング内面に設けた凹凸面に弾接することによってクリック感を発生させることを特徴とするロータリスイッチ。
【請求項２】
前記可動接片は、金属性の板状弾性部材を折り曲げて形成し、略中央部に前記凸部を形成するとともに、両端部に前記固定接片と接触する接触部を形成することを特徴とする請求項１記載のロータリスイッチ。
【発明の詳細な説明】
【技術分野】
【０００１】
本発明は、回転操作によって接点の切換えを行うロータリスイッチに係り、操作時に明確なクリック感を発生させるとともに、部品点数が少なく組立が容易なロータリスイッチに関するものである。
【背景技術】
【０００２】
従来のロータリスイッチとして、回転操作ノブの回転に連れて、回転操作ノブの上面に設けられた複数の凹部に、略リング状の板バネの嵌合凸部が選択的に嵌ることによりクリック感を出すものがある。（下記特許文献１）
また、クリックパターンに係脱させるための摺動子片を接点切換え用の摺動子片と一体の金属片としたものがある。（下記特許文献２）
【特許文献１】特開２００８−１６６１５８号
【特許文献２】実開平５−６５０２５号
【発明の開示】
【発明が解決しようとする課題】
【０００３】
しかしながら、上記した従来のロータリスイッチにおいて、特許文献１では、固定接点と当接する接触片とは別にクリック感を与える略リング状の板バネを付設する必要があった。また、特許文献２では、クリックパターンに係脱させるための摺動子片を接点切換え用の摺動子片と一体の金属片としているが、それとは別にコモン電極上を摺動する摺動子が必要であった。このように、クリック機構を設けるためには部品点数の増加がともない、組立工数やコストの削減の妨げとなっていた。
【０００４】
そこで本発明は、上記状況に鑑みて、部品点数が削減でき組立が容易なロータリスイッチを提供することを目的とする。
【課題を解決するための手段】
【０００５】
本発明は、上記目的を達成するために、
〔１〕ハウジング内に設けられるロータと、該ロータと共に回転可能な可動接片と、該可動接片に対応した固定接片を配設したベースとを備えたロータリスイッチにおいて、前記可動接片に凸部を形成し、該凸部が前記ハウジング内面に設けた凹凸面に弾接することによってクリック感を発生させることを特徴とする。
〔２〕上記〔１〕記載のスイッチにおいて、前記可動接片は、金属性の板状弾性部材を折り曲げて形成し、略中央部に前記凸部を形成するとともに、両端部に前記固定接片と接触する接触部を形成することを特徴とする。
【発明の効果】
【０００６】
本発明によれば、次のような効果を奏することができる。
（１）クリック機構を兼ねた可動接片としたので、部品点数が削減できる。
（２）部品点数が削減できるので、容易に組立ができる。
（３）部品点数が削減でき、組立が容易であるため、製造コストが削減できる。
（４）ハウジングに設けた凹凸面と可動接片に形成した凸部を弾接させることで、操作時に明確なクリック感を与えることができる。
（５）可動接片に形成した凸部を弾接させることでクリック感を与えることができるので、可動接片による接点の切換え動作に対して確実に連動したクリック感を発生させることができる。
（６）ハウジングの凹凸面の高低差を変えることで、クリック感を容易に調整することができる。
【発明を実施するための最良の形態】
【０００７】
本発明は、ハウジング内に設けられるロータと、ロータと共に回転可能な可動接片と、可動接片に対応した固定接片を配設したベースとを備えたロータリスイッチにおいて、可動接片に凸部を形成し、凸部がハウジング内面に設けた凹凸面に弾接することによってクリック感を発生させる構成とする。よって、操作時に明確なクリック感を発生させることが可能でありながら、部品点数が削減でき容易に組立が可能となる。
【実施例】
【０００８】
以下、本発明の実施例について、図面を参照しながら詳細に説明する。
【０００９】
図１は本発明の実施例を表すロータリスイッチの分解斜視図、図２は本発明の実施例を表すロータリスイッチの斜視図、図３は本発明の実施例を表すロータリスイッチの平面図、図４は本発明の実施例を表すロータリスイッチのクリック感発生部の要部断面図、図５は本発明の実施例を表すロータリスイッチのベースの断面図である。
【００１０】
これらの図において、１はベース、２はロータ、３は可動接片、４はハウジングである。ベース１には、内底面に固定接片１ａが設けてあり、外側面に嵌合突起１ｂが形成されている。ロータ２には、可動接片３と係合する係合溝２ａが形成され、中央には操作部２ｂが設けられている。可動接片３は、金属性の板状弾性部材を略コの字形に折り曲げて形成されており、略中央部に凸部３ａが形成され、両端部には固定接片１ａと接触する接触部３ｂ及び３ｃが形成されている。ハウジング４には、操作部２ｂが貫通する貫通孔４ａが形成され、側面に嵌合突起１ｂと嵌合する嵌合孔４ｂが形成され、内面にはクリック感を発生させるための凹面４ｃ及び凸面４ｄが設けられている。
【００１１】
可動接片３はロータ２の係合溝２ａに係合され、可動接片３の凸部３ａがハウジング４の凹面４ｃに係合するとともにロータ２の操作部２ｂがハウジング４の貫通孔４ａを貫通するようにロータ２をハウジング４に配設する。そして、ハウジング４の嵌合孔４ｂにベース１の嵌合突起１ｂを嵌合してロータリスイッチが完成される。
【００１２】
以上のように構成された本発明のロータリスイッチは、操作部２ｂの回転操作にともなって可動接片３が回動し、接触部３ｂが固定接片１ａの共通接点１ｃ上を摺動するとともに接触部３ｃが各設定位置に対応した固定接点１ｄと接触することで、可動接片３を介して共通接点１ｃと固定接点１ｄを順次導通させて接点の切換えを行う。このとき、凸部３ａが凹面４ｃから凸面４ｄを摺動しながら乗り越えて隣の凹面４ｃに弾接し、クリック感を発生させる。
【００１３】
このように、本実施例に示すロータリスイッチは、接点の切換えと連動してクリック感を与えることができ、可動接片３がクリック機構を兼ねているので、部品点数が削減でき、容易に組立ができるという特徴を有している。また、部品コスト及び組立工数が削減できるため、製造コストが削減できるという特徴を有している。
【００１４】
さらに、可動接片３の凸部３ａがハウジング４の凹凸面に弾接することで、操作時に明確なクリック感が発生できるという特徴を有している。
【００１５】
さらに、可動接片３と一体に凸部３ａを形成することで、接触部３ｂ及び３ｃによる接点の切換え動作に対して確実に連動したクリック感を発生させることができるという特徴を有している。
【００１６】
さらに、ハウジング４の凹面４ｃと凸面４ｄの高低差を変えることで、クリック感が容易に調整できるという特徴を有している。
【００１７】
本実施例では、５ポジションの切換えとしているがポジション数は任意に変更してもよい。また、ハウジングにロータの回転防止機構を設けて切換範囲以上には回転できない構造としてもよく、種々の方法が考えられる。
【００１８】
なお、本発明は上記の実施例に限定されるものではなく、本発明の趣旨に基づき種々の変形が可能であり、これらを本発明の範囲から排除するものではない。
【産業上の利用可能性】
【００１９】
本発明のロータリスイッチは、接点の切換えと連動してクリック感を与えることができ、組立が容易なロータリスイッチとして利用可能である。
【図面の簡単な説明】
【００２０】
【図１】本発明の実施例を表すロータリスイッチの分解斜視図である。
【図２】本発明の実施例を表すロータリスイッチの斜視図である。
【図３】本発明の実施例を表すロータリスイッチの平面図である。
【図４】本発明の実施例を表すロータリスイッチのクリック感発生部の要部断面図である。
【図５】本発明の実施例を表すロータリスイッチのベースの断面図である。
【符号の説明】
【００２１】
１          ベース
１ａ        固定接片
１ｂ        嵌合突起
１ｃ        共通接点
１ｄ        固定接点
２          ロータ
２ａ        係合溝
２ｂ        操作部
３          可動接片
３ａ        凸部
３ｂ，３ｃ  接触部
４          ハウジング
４ａ        貫通孔
４ｂ        嵌合孔
４ｃ        凹面
４ｄ        凸面
【図１】
2010067421.tif 000003
【図２】
2010067421.tif 000004
【図３】
2010067421.tif 000005
【図４】
2010067421.tif 000006
【図５】
2010067421.tif 000007